(57)【要約】【課題】テープ巻取り後半においても、転写操作を軽くすることができるようにした塗膜転写具を提供する。【解決手段】ケース２内に、ベーステープＴ′上に塗膜を塗布した転写テープＴが巻回された供給リール６を設けるとともに、この供給リール６から繰り出される転写テープＴを、ケース２の前端開口２ａに設けた転写ヘッド８に向けて供給して、転写テープＴの塗膜を被転写面に転写可能にし、かつ転写後の転写ヘッド８を経て反転させたベーステープＴ′を、ケース２内に巻き取るようにした塗膜転写具において、ベーステープＴ′を、ケース２内に設けたテープ巻取機構７をもって、順次連続して複数の巻取リール１０、１１に段階的に巻き取るようにする。【選択図】  図１
2008279642.tif 000002
【特許請求の範囲】
【請求項１】
ケース内に、ベーステープ上に塗膜を塗布した転写テープが巻回された供給リールを設けるとともに、この供給リールから繰り出される転写テープを、ケースの前端開口に設けた転写ヘッドに向けて供給して、転写テープの塗膜を被転写面に転写可能にし、かつ転写後の転写ヘッドを経て反転させたベーステープを、ケース内に巻き取るようにした塗膜転写具において、
ベーステープを、ケース内に設けたテープ巻取機構をもって、順次連続して複数の巻取リールに段階的に巻き取るようにしたことを特徴とする塗膜転写具。
【請求項２】
テープ巻取機構を、巻取回転軸に並列状態で隣接して配置した複数の巻取リールと、これら各巻取リールの１次巻取リールから最終次巻取リールに向けてベーステープを段階的に移行させる切換手段とにより構成した請求項１記載の塗膜転写具。
【請求項３】
テープ巻取機構を、巻取回転軸の軸方向に移動可能に配置した１次巻取リールと、この１次巻取リールをベーステープの幅に応じて軸方向に移動させる切換手段とにより構成するとともに、この切換手段による巻取リールの移動をもって露出する巻取回転軸の軸部を、２次巻取リールとした請求項１記載の塗膜転写具。
【請求項４】
テープ巻取機構を、巻取回転軸に並列状態で隣接して配置した複数の巻取リールにより構成するとともに、転写ヘッドを、各巻取リールの最終次巻取リール側に片寄らせて配置し、かつテープ巻取初期時、ベーステープを１次巻取リール側に片寄らせて巻き取るようにした請求項１記載の塗膜転写具。
【発明の詳細な説明】
【技術分野】
【０００１】
本発明は、修正塗膜や糊塗膜などを、被転写面に転写するための塗膜転写具に関する。
【背景技術】
【０００２】
塗膜転写具は、ケース内に、ベーステープ上に塗膜を塗布した転写テープが巻回された供給リールを設けるとともに、この供給リールから繰り出される転写テープを、ケースの前端開口に設けた転写ヘッドに向けて供給して、被転写面上に塗膜を転写した後に、ベーステープをケース内の巻取リールに巻き取るようにしたものが公知である（例えば、特許文献１参照）。
【０００３】
このような塗膜転写具では、供給リールの回転力を、ギア列による動力伝達機構を介して、巻取リールに伝達させて、巻取リールを回転させることによって、ベーステープを巻取リールに巻き取らせている。
【０００４】
そのため、供給リールから繰出して転写テープを使用するに伴って、供給リールにおける転写テープの巻取径が漸次小さくなるとともに、巻取リールにおけるベーステープの巻取径が漸次大きくなる。
また、供給リールの回転数に対する巻取リールの回転数比は、両リール間に介在するギアの歯数によって定まる。このため、巻取リールにおける転写テープの巻取径が大きくなるに伴って、巻取リールにおけるベーステープの巻取量が、供給リールにおける転写テープの繰出し量よりも大きくなり、その差が供給リールと巻取リール間におけるテープ張力を増大させる結果となっている。
【０００５】
特に、長さが、たとえば２０ｍ〜４０ｍ以上もの転写テープを巻き取る場合、供給リールと巻取リールとの間のテープの弛みを防止するため、供給リールの回転数よりも巻取リールの回転数を多くし、供給リールと巻取リールとの間のテープ張力を高めるようにしている。
このため、テープ巻取り後半においては、巻取リール側のテープ巻取径が、供給リール側の巻取径よりも大きくなるほど、供給リールから繰り出される転写テープの引張力が大きくなって、転写操作が重くなるという問題があった。
【特許文献１】特開２００５−４７２０１号公報（図１）
【発明の開示】
【発明が解決しようとする課題】
【０００６】
本発明は、前記の現状に鑑み、テープ巻取り後半においても、転写操作を軽くすることができるようにした塗膜転写具を提供することを目的とする。
【課題を解決するための手段】
【０００７】
上記課題は、「特許請求の範囲」の欄における各請求項に記載するように、次のような構成からなる発明によって解決される。
（１）  ケース内に、ベーステープ上に塗膜を塗布した転写テープが巻回された供給リールを設けるとともに、この供給リールから繰り出される転写テープを、ケースの前端開口に設けた転写ヘッドに向けて供給して、転写テープの塗膜を被転写面に転写可能にし、かつ転写後の転写ヘッドを経て反転させたベーステープを、ケース内に巻き取るようにした塗膜転写具において、ベーステープを、ケース内に設けたテープ巻取機構をもって、順次連続して複数の巻取リールに段階的に巻き取るようにする。
【０００８】
（２）  上記（１）項において、テープ巻取機構を、巻取回転軸に並列状態で隣接して配置した複数の巻取リールと、これら各巻取リールの１次巻取リールから最終次巻取リールに向けてベーステープを段階的に移行させる切換手段とにより構成する。
【０００９】
（３）  上記（１）項において、テープ巻取機構を、巻取回転軸に軸方向に移動可能に配置した１次側巻取リールと、この１次巻取リールをベーステープの幅に応じて軸方向に移動させる切換手段とにより構成するとともに、この切換手段による巻取リールの移動をもって露出する回転軸部を、２次巻取リールとする。
【００１０】
（４）  上記（１）項において、テープ巻取機構を、巻取回転軸に並列状態で隣接して配置した複数の巻取リールにより構成するとともに、転写ヘッドを、各巻取リールの最終次巻取リール側に片寄らせて配置し、かつテープ巻取初期時、ベーステープを１次巻取リール側に片寄らせて巻き取るようにする。
【発明の効果】
【００１１】
本発明によると、次のような効果が奏せられる。
請求項１記載の発明によると、ベーステープを、ケース内に設けたテープ巻取機構をもって、順次連続して複数の巻取リールに段階的に巻き取るようにしているため、１次段階における巻取リールのテープ巻取径が、ある程度大きくなって、転写操作が重く感じたとき、ベーステープの巻取りを、次の巻取リールに順次移行させることにより、テープ巻取り後半においても、転写操作を軽くすることができる。
【００１２】
請求項２記載の発明によると、切換手段によって、前項と同様な効果を奏する。
【００１３】
請求項３記載の発明によると、切換手段によって、前項と同様な効果を奏する。
【００１４】
請求項４記載の発明によると、転写ヘッドを、各巻取リールの最終次側巻取リール側に片寄らせて配置し、かつテープ巻取初期時、ベーステープを１次巻取リール側に片寄らせて巻き取りうるようにしてあるため、１次巻取リールにおけるテープ巻取径の限度を超えると、次の巻取リールに段階的に移行させることができ、これにより、前項と同様な効果を奏する。
【発明を実施するための最良の形態】
【００１５】
以下、本発明の実施形態を、添付図面を参照して説明する。
図１は、本発明の第１実施形態におけるテープ巻取機構を備えた塗膜転写具の斜視図、図２は、同じく、縦断面図、図３は、図２のIII−III線における要部縦断面図、図４は、テープ巻取機構の切換状態を示し、（ａ）はテープ切換前の状態を概略的に示す平面図、（ｂ）はテープ切換後の状態を概略的に示す平面図である。
【００１６】
なお、以下の説明において、図１に示すように、左下から右上に至る方向を「前後方向」、右下から左上に至る方向を「左右方向」とする。
【００１７】
図１および図２に示すように、本発明の塗膜転写具１は、ケース２内に設けられた供給ギア３、中間ギア４、巻取ギア５からなるギア列による動力伝達機構を介して、中間ギア４の前後に配置した供給リール６、およびテープ巻取機構７が互いに連係されている。
【００１８】
転写テープＴは、ベーステープＴ´上に塗膜を塗布した状態で供給リール６に巻回されて繰り出され、ケース２の前端開口２ａから突出する転写ヘッド８によって紙面上に塗膜を転写した後、転写ヘッド８の前端において反転し、この反転した塗膜剥離後のベーステープＴ´を、テープ巻取機構７によって巻き取るようになっている。
【００１９】
供給リール６は、転写ヘッド８の前端を紙面上に押圧して後方に引くことによって繰り出される転写テープＴによって回転され、その回転力は、供給ギア３、中間ギア４、巻取ギア５を介して、テープ巻取機構７に伝達されるようになっている。
【００２０】
テープ巻取機構７は、図３に示すように、供給リール６の供給ギア３と同期回転する巻取ギア５の巻取回転軸９に並列状態で配置した１次巻取リール１０と２次巻取リール１１とを備えている。
【００２１】
１次および２次巻取リール１０、１１間の上部には、ケース２内の左右方向に架設されたガイドレール１２を介して、リール巻取軸方向にスライド自在な案内ローラ１３が設けられている。
【００２２】
案内ローラ１３は、ケース２の上面に左右方向にスライド可能に設けた操作部材１４に連係し、この操作部材１４により、転写ヘッド８の前端において反転した塗膜剥離後のベーステープＴ´を、１次巻取リール１０リール軸１０ａ側から２次巻取リール１１のリール軸１１ａ側へと切り換えるように、移動可能になっており、これら案内ローラ１３、操作部材１４をもって、テープ切換機構を構成している。
【００２３】
すなわち、本発明の塗膜転写具１は、図４（ａ）に示すように、初期設定段階におけるテープ巻取り前半において、案内ローラ１３を１次巻取リール１０のリール軸１０ａ側に対応するように位置決めし、転写ヘッド８の前端において反転した塗膜剥離後のベーステープＴ´を、１次巻取リール１０によって巻き取る。
【００２４】
テープ巻取り前半において、転写操作が重く感じられたときに、図４（ｂ）に示すように、操作部材１４により、案内ローラ１３を２次巻取リール１１のリール軸１１ａ側に対応するように移動させて、ベーステープＴ´を２次巻取リール１１によって順次連続して段階的に巻き取るようにしたものである。
【００２５】
前記の構成によれば、１次巻取リール１０のテープ巻取径が、ある程度大きくなって、転写操作が重く感じたときに、ベーステープＴ´の巻取りを、２次巻取リール１１に順次移行させることにより、テープ巻取り後半においても、転写操作を軽くすることができる。
【００２６】
図５は、本発明の第２実施形態におけるテープ巻取機構の切換状態を示し、（ａ）はテープ切換前の状態を概略的に示す平面図、（ｂ）はテープ切換後の状態を概略的に示す平面図である。
【００２７】
図５（ａ）に示すように、テープ巻取機構１５は、巻取回転軸１６の軸線方向に移動可能に１次巻取リール１７を配置し、初期巻取段階において、１次巻取リール１７のリール軸１７ａをもって、転写ヘッド１８から反転したベーステープＴ´を巻き取る。
【００２８】
１次巻取リール１７の巻取径が大きくなって、転写操作が重くなったとき、図５（ｂ）に示すように、１次巻取リール１７をベーステープＴ´の幅に応じて軸方向に移動させて切り換えることにより、１次巻取リール１７の移動をもって露出する巻取回転軸１６の軸部を、２次巻取リールとしてのリール軸１９として、順次連続して段階的にベーステープＴ´を巻き取るようにしたものである。
【００２９】
図６は、本発明の第３実施形態におけるテープ巻取機構の切換状態を示し、（ａ）はテープ切換前の状態を概略的に示す平面図、（ｂ）はテープ切換後の状態を概略的に示す平面図である。
【００３０】
図６（ａ）に示すように、テープ巻取機構２０は、巻取回転軸２１に並列状態で隣接して配置した１次巻取リール２２と２次巻取リール２３とにより構成するとともに、転写ヘッド２４を、２次巻取リール２３のリール軸２３ａ側に片寄らせて配置し、かつテープ巻取初期時、ベーステープＴ´を１次巻取リール２２のリール軸２２ａ側に片寄らせて巻き取る。
【００３１】
１次巻取リール２２によるベーステープＴ´のテープ巻取径が限度を超えると、ベーステープＴ´の巻取りに伴う引張力によって、ベーステープＴ´は、次の２次巻取リール２３のリール軸２３ａ側に向けて移行し、これにより、ベーステープＴ´を順次連続して段階的に巻き取るようにしたものである。
【図面の簡単な説明】
【００３２】
【図１】本発明の第１実施形態におけるテープ巻取機構を備えた塗膜転写具の斜視図である。
【図２】同じく、縦断面図である。
【図３】図２のIII−III線における要部拡大縦断面図である。
【図４】テープ巻取機構の切換状態を示し、（ａ）はテープ切換前の状態を概略的に示す平面図、（ｂ）はテープ切換後の状態を概略的に示す平面図である。
【図５】本発明の第２実施形態におけるテープ巻取機構の切換状態を示し、（ａ）はテープ切換前の状態を概略的に示す平面図、（ｂ）はテープ切換後の状態を概略的に示す平面図である。
【図６】本発明の第３実施形態におけるテープ巻取機構の切換状態を示し、（ａ）はテープ切換前の状態を概略的に示す平面図、（ｂ）はテープ切換後の状態を概略的に示す平面図である。
【符号の説明】
【００３３】
１    塗膜転写具
２    ケース
２ａ  前端開口
３    供給ギア
４    中間ギア
５    巻取ギア
６    供給リール
７    テープ巻取機構
８    転写ヘッド
９    巻取回転軸
１０  １次巻取リール
１０ａ  リール軸
１１  ２次巻取リール
１１ａ  リール軸
１２  ガイドレール
１３  案内ローラ
１４  操作部材
１５  テープ巻取機構
１６  巻取回転軸
１７  １次巻取リール
１７ａ  リール軸
１８  転写ヘッド
１９  リール軸
２０  テープ巻取機構
２１  巻取回転軸
２２  １次巻取リール
２２ａ  リール軸
２３  ２次巻取リール
２３ａ  リール軸
２４  転写ヘッド
Ｔ    転写テープ
Ｔ′  ベーステープ
【図１】
2008279642.tif 000003
【図２】
2008279642.tif 000004
【図３】
2008279642.tif 000005
【図４】
2008279642.tif 000006
【図５】
2008279642.tif 000007
【図６】
2008279642.tif 000008